(57)【要約】【課題】  正面の表示装置を見ている姿勢のまま、使用者が自分の容姿の一部または全部を確認できるような容姿確認システムを提供する。【解決手段】  本発明に係る容姿確認システムは、当該保持手段によって使用者の容姿の一部または全部を撮像できる位置に当該撮像手段を保持するように構成され、当該表示装置は、当該撮像手段が出力した撮像信号を受信して表示画像を表示するように構成され、当該表示装置保持手段は、当該表示画像を使用者が見られるように当該表示装置を着脱自在に保持するように構成されていることを特徴とする。【選択図】  図１
2016158159.tif 000002
【特許請求の範囲】
【請求項１】
撮像手段と、保持手段と、表示装置と、表示装置保持手段と、を有する容姿確認システムであって、
当該撮像手段は、撮像画像を撮像信号として出力するように構成され、
当該保持手段は、使用者の容姿の一部または全部を撮像できる位置に当該撮像手段を保持するように構成され、
当該表示装置は、当該撮像手段が出力した撮像信号を受信して表示画像を表示するように構成され、
当該表示装置保持手段は、当該表示画像を使用者が見られるように当該表示装置を着脱自在に保持するように構成され
ていることを特徴とする容姿確認システム。
【請求項２】
前記保持手段は、基部と、前記基部から遠くなる順に第１関節部、第１アーム部、第２関節部、第２アーム部を少なくとも備え、
当該第１関節部と当該第２関節部は、それぞれ少なくとも１方向に復帰可能に屈曲するように構成され、
角度を変更するためのトルクを、当該第１関節部、当該第２関節部の順で小さくして、当該第１アーム部と当該第２アーム部のそれぞれの自重屈曲を抑制可能に構成してある
ことを特徴とする請求項２記載の容姿確認システム。
【請求項３】
前記第２アーム部の前記第２関節の反対側には、少なくとも１方向に復帰可能に屈曲する第３関節部を介して第３アーム部が設けられ、
当該第３関節部のトルクを、前記第２関節部のトルクよりも小さく設定し自重屈曲を抑制可能に構成されている
ことを特徴とする請求項２記載の容姿確認システム。
【請求項４】
前記第３アーム部の前記第３関節の反対側には、少なくとも１方向に復帰可能に屈曲する第４関節部を介して第４アーム部が設けられ、
当該第４関節部のトルクを、前記第３関節部のトルクよりも小さく設定し自重屈曲を抑制可能に構成されている
ことを特徴とする請求項３記載の容姿確認システム。
【請求項５】
前記第１関節部は、水平方向に回動可能となるように前記基部に取付けられている
ことを特徴とする請求項２ないし４いずれか記載の容姿確認システム。
【請求項６】
前記第１関節部は、前記基部に対し近接離反可能に構成してある
ことを特徴とする請求項２ないし５いずれか記載の容姿確認システム。
【請求項７】
前記表示装置は、所定のアプリケーションソフトを格納するタブレットコンピュータである
ことを特徴とする請求項１ないし６記載の容姿確認システム。
【請求項８】
前記表示装置と使用者の間にハーフミラーを配置することによって、前記表示装置が稼働していないときに使用者の容姿の一部又は全部を映せるように構成してある
ことを特徴とする請求項１ないし７いずれか記載の容姿確認システム。
【発明の詳細な説明】
【技術分野】
【０００１】
本発明は、通常は２枚以上の鏡を使わなくては見ることができない自らの頭頂部、左右の横顔、後頭部、さらに全身を座った楽な姿勢のまま見られるようにするための容姿確認システムに関する。
【背景技術】
【０００２】
顔鏡に使用者の顔が映るのは、使用者によって反射された照明光や自然光が顔鏡に届き、そこで再度反射され使用者の網膜を刺激するからである。
【０００３】
故に、使用者の視野角外にある頭頂部や後頭部、さらに左右の横顔を鏡に映してみるためには、２枚以上の鏡を使用して反射させて見るしか方法がなく、通常は正面に置いた顔鏡と、見たい角度を映す為の手鏡を片手に持ち、まず見たい部分を手鏡に映させ、その手鏡に映った像を正面の顔鏡に反射させて見るのである。
【０００４】
しかし、そもそも顔鏡は、男女を問わず顔や頭の身だしなみを整えるため使用者が使用するものであるが、手鏡を持つために片手がふさがれると思うような整えができない。一方の手で髪を撫でつけながら他方の手でブラシをかける場合などが、その典型例である。特に、化粧をする者にとって、細かな作業をしっかりとこなすため両手を使えることが絶対条件である。
【０００５】
上記した問題を解決するため、頭頂部や後頭部、背面を見ることができ、両手を自由に使えるようにする機器がいくつか提案されている。これらは、いずれも正面を見るための顔鏡と、頭頂部や後頭部などを映す補助鏡と、補助鏡を支持する支持アームと、を備え、補助鏡に映した頭頂部や後頭部などの像を顔鏡に映して使用者が見られるように構成されている点で共通する。異なる点は支持アームであって、これが、自在パイプ（特許文献１参照、以下、「第１の従来技術」という））、屈曲アーム（特許文献２参照、以下、「第２の従来技術」という））、さらに自在パイプと伸縮パイプの組み合わせ（特許文献３参照、以下、「第３の従来技術」という））から構成されている。
【０００６】
一方、使用者が正面顔とともに後頭部など両手を使える状態で見られるようにするシステムが提案されている。具体的には、使用者の正面顔を映すためにマジックミラー背面に表示装置を設け、撮像手段を用いて撮像した使用者の後頭部や横顔を表示装置に表示させ、使用者は、マジックミラーを透過した表示装置の表示を見られるようにしたシステムである。特許文献４は、使用者のほぼ全身を映すことのできるマジックミラーと、マジックミラー背面に配された表示手段と、マジックミラー正面に立った使用者の頂部領域や背面領域などに設置されたカメラと、ユーザーの頭部位置を検出するユーザー位置検出手段と、を含むシステム（以下、「第４の従来技術」という）を提案している。マジックミラーには、使用者のほぼ全身が映り、マジックミラーの余白に各カメラで撮像した使用者の後頭部等が表示されるようになっている。ユーザー位置検出手段は、検出したユーザー位置に基づきユーザーのマジックミラー内の視野を推定し、この推定視野の範囲にマジックミラーの反射像と重ならないようにカメラの撮像を表示しようとするものである。
【０００７】
また、特許文献５が開示する技術は、使用者が自分の姿を第三者から見える客観的の実像の状態で、各種の方向から視認するためのキャビネット形式のドレッサーに関する技術（以下、「第５の従来技術」という」）である。第５の従来技術は使用者の姿を視認するためのものであるから、使用者のほぼ全身を映せるマジックミラーが使用され、その背面には液晶表示板が配されている。このマジックミラーはキャビネット本体に収められ、このキャビネット本体には、キャスター付きの扉が開閉可能にヒンジ結合されている。一方、キャビネット本体向かって右端にあるヒンジ上部に自在アームの一端が片持ち支持され、自在アームの他端に撮影用カメラが取り付けられている。自在アームはキャビネット本体の幅寸法の半分ほどの長さ寸法を有している。撮影用カメラは、使用者の後姿や側面姿を映すためのものとされている。さらに、特許文献６が開示する技術は、人の後ろ髪を映すための頭髪描写装置に関し、受像装置と、撮像装置と、アームと、アームを水平回転させる回転軸受け及び取付け部品とを有し、アーム部の先端に支点で上下の撮影方向自在に撮像装置を取付け、アームを水平回転させ、後ろ髪の好きなところを映すことが可能な技術（以下、「第６の従来技術」という」）である。
【先行技術文献】
【特許文献】
【０００８】
【特許文献１】実用新案登録第３１１８６３９号公報
【特許文献２】実用新案登録第３１７２２４１号公報
【特許文献３】特開２００７−１９５９１２号公報
【特許文献４】特開２０１０−１６７９３号公報
【特許文献５】特開平５−１９２２３３号公報
【特許文献６】特開平６−３８２２０号公報
【発明の概要】
【発明が解決しようとする課題】
【０００９】
しかし、上述した第１〜第３の従来技術は、いずれも、補助鏡に映した像を顔鏡で見るものであるため、使用者が正面の顔鏡を見ている姿勢のまま（つまり、自然体のまま）、正面の顔鏡に映らない自分の横顔や後頭部を水平方向に見ることができない点に問題がある。たとえば、後頭部を見ようとするとき、後頭部を水平方向から見ようとすれば使用者の真後ろに補助鏡を置く必要があるが、これを顔鏡から見ると使用者に隠れて見えなくなってしまう。つまり、補助鏡の反射像を顔鏡に映すことができない。このため使用者は、顔鏡に対しわずかに顔を下に傾けて顔鏡の上部領域に余白を作り、そこに、顔の傾けによって斜めになり上方に露出した後頭部の上に補助鏡を配し、その補助鏡の反射像が映るようにする必要がある。このとき使用者は、顔を下に傾けているので、顔鏡に映った自分の後頭部を上目づかいで見なければならず、このため、たいへん見づらい。また、映って反射像はあくまでも後頭部を斜め方向から見たものであって真正面から見た像ではないので、実際のものとは違って見えてしまう。このため、複数の鏡を使う第１〜３の従来技術は、たいへん使い勝手が悪いという問題点がある。
【００１０】
一方、上記した第４及び５の従来技術は、次の課題を有している。それは、使用者が正面の顔鏡を見ている姿勢のまま（つまり、自然体のまま）、正面の顔鏡に映らない自分の後頭部や横顔等を、使用者の片手操作だけで平面視時の様々な角度から水平方向に見ることができない、という点である。さらに、上記した第６の従来技術は、アーム部は、それ自身の重さや撮像装置の重さに耐えきれず、辞儀をするおそれがある。詳細は、項を改めて説明する。
【００１１】
すなわち、第４の従来技術で用いられるカメラは、固定されていなければならないと考えられる。なぜなら、カメラ位置を動かせばカメラ映像の大きさが変化するので、たとえば、動かす前であれば重ならなかった映像でも大きくなれば重なってしまうことになるからである。事実、第４の従来技術は、カメラを移動させるための手段を有しておらず、そこには使用者に対しカメラ位置を移動させるという思想が含まれない。このため、使用者の横顔や後頭部等の撮像は、最初に設定したカメラ位置のものに固定され、これが変化するものではない、すなわち、使用者は変化する撮像を見ることができない、という点に問題がある。
【００１２】
また、第５の従来技術で用いられる撮影用カメラは、その後姿や側面姿を撮像するようになっている。つまり、第５の技術は、使用者の姿見を実現することである。このため、上記撮影用カメラを支持する自在アームは、キャビネット本体の幅寸法の半分ほどの長さ寸法しかないので、使用者から見て右側の側面姿を撮像できても、同じく左側の側面まで撮影用カメラを届かせることができないから左側面姿までは撮像できない、すなわち、使用者は左右両方の横顔を見ることができない、という問題がある。使用者の頭上を越え撮像装置が使用者の後頭部を水平撮影可能な位置に至るように構成してあるので、相当に長尺になり、その分、重量も重くなる。重くなれば自重傾動してアーム部が辞儀をするおそれがあり、辞儀をすると安定した撮像ができなくなるという問題がある。
【００１３】
本発明が解決しようとする課題は、上述した従来技術の問題点を解消することにより、使用者が上目づかいなどをすることなく正面の表示装置を見ている姿勢のまま、自分の容姿の一部または全部を確認できるようにすることにある。
【課題を解決するための手段】
【００１４】
上記課題を解決するため発明者らは、鋭意研究の結果、次項以下で示す手段を見出した。なお、何れかの請求項記載の発明を説明するに当たり行う用語の定義等は、その記載順に関わらず、可能な範囲において他の請求項記載の発明にも適用があるものとする。
【００１５】
（請求項１記載の発明の特徴）
請求項１記載の発明に係る容姿確認システム（以下、「請求項１のシステム」という）は、撮像手段と、保持手段と、表示装置と、表示装置保持手段と、を有する容姿確認システムであってシステムである。当該撮像手段は、撮像画像を撮像信号として出力するように構成され、当該保持手段は、使用者の容姿の一部または全部を撮像できる位置に当該撮像手段を保持するように構成され、当該表示装置は、当該撮像手段が出力した撮像信号を受信して表示画像を表示するように構成され、当該表示装置保持手段は、当該表示画像を使用者が見られるように当該表示装置を着脱自在に保持するように構成されていることを特徴とする。
【００１６】
請求項１のシステムによれば、撮像手段によって撮像された使用者の容姿の一部または全部は表示装置保持手段に保持された表示装置に表示される。使用者は、自分の容姿の見たい部分（全体か、たとえば、後頭部や側頭部のように一部か）が表示装置に表示されるように、保持手段を操作して撮像装置を所望の位置に保持させる。鏡だけでは見えないような角度でも、その容姿を撮像し表示画面に表示させることにより見ることができる。表示装置は、表示装置保持手段から取り外しておき、必要に応じて設置するようにすることもできる。
【００１７】
（請求項２記載の発明の特徴）
請求項２記載の発明に係る容姿確認システム（以下、「請求項２のシステム」という）は、請求項１のシステムの好ましい態様として、前記保持手段は、基部と、前記基部から遠くなる順に第１関節部、第１アーム部、第２関節部、第２アーム部を少なくとも備え、当該第１関節部と当該第２関節部は、それぞれ少なくとも１方向に復帰可能に屈曲するように構成され、角度を変更するためのトルクを、当該第１関節部、当該第２関節部の順で小さくして、当該第１アーム部と当該第２アーム部のそれぞれの自重屈曲を抑制可能に構成してあることを特徴とする。
【００１８】
請求項２のシステムによれば、請求項１のシステムの作用効果に加え、アームが２本となれば全体が相当に長尺になり、その分、重量も重くなる。重くなれば自重で屈曲してアーム部が辞儀をするおそれがあるが、これを防いで撮像手段を所望位置に保持し続けるためには、各関節部におけるトルクを大きくする必要が生じる。しかし、トルクを大きくしすぎると、使用者が片手操作で撮像手段の位置を動かそうとする動作に不都合が生じかねない。そこで、支柱に近い関節部に一番荷重がかかることから一番トルクを大きく設定し、その後、撮像手段に向かって順にトルクを小さくすれば、各アーム部の保持と使用者の片手操作の両者を同時実現することができる。
【００１９】
（請求項３記載の発明の特徴）
請求項３記載の発明に係る容姿確認システム（以下、「請求項３のシステム」という）は、請求項２のシステムの好ましい態様として、前記第２アーム部の前記第２関節の反対側には、少なくとも１方向に復帰可能に屈曲する第３関節部を介して第３アーム部が設けられ、当該第３関節部のトルクを、前記第２関節部のトルクよりも小さく設定し自重屈曲を抑制可能に構成されていることを特徴とする。
【００２０】
請求項３のシステムによれば、請求項２のシステムの作用効果に加え、アーム部が増えればその分だけ全体重量が重くなるが、撮像手段に向かって順にトルクを小さくすれば、各アーム部の保持と使用者の片手操作の両者を同時実現することができる。
【００２１】
（請求項４記載の発明の特徴）
請求項４記載の発明に係る容姿確認システム（以下、「請求項４のシステム」という）は、請求項３のシステムの好ましい態様として、前記第３アーム部の前記第３関節の反対側には、少なくとも１方向に復帰可能に屈曲する第４関節部を介して第４アーム部が設けられ、当該第４関節部のトルクを、前記第３関節部のトルクよりも小さく設定し自重屈曲を抑制可能に構成されていることを特徴とする。
【００２２】
請求項４のシステムによれば、請求項３のシステムの作用効果に加え、アーム部が増えればその分だけ全体重量が重くなるが、撮像手段に向かって順にトルクを小さくすれば、各アーム部の保持と使用者の片手操作の両者を同時実現することができる。
【００２３】
（請求項５記載の発明の特徴）
請求項５記載の発明に係る卓上型顔鏡システム（以下、「請求項５のシステム」という）は、請求項２ないし４いずれか記載の容姿確認のシステムの好ましい態様として、前記第１関節部は、水平方向に回動可能となるように前記基部に取付けられていることを特徴とする。
【００２４】
請求項５のシステムによれば、請求項２ないし４のシステムの作用効果に加え、各アーム部、ひいては撮像手段の可動領域が広がる。このため、使用者は、撮像する容姿の範囲や部位をより広く捉えることができる。
【００２５】
（請求項６記載の発明の特徴）
請求項６記載の発明に係る容姿確認システム（以下、「請求項６のシステム」という）は、請求項２乃至５何れかのシステムの好ましい態様として、前記第１関節部は、前記基部に対し近接離反可能に構成してあることを特徴とする。
【００２６】
請求項６のシステムによれば、請求項２乃至５何れかのシステムの作用効果に加え、各アーム部、ひいては撮像手段の可動領域が広がる。このため、使用者は、撮像する容姿の範囲や部位をより広く捉えることができる。
【００２７】
（請求項７記載の発明の特徴）
請求項７記載の発明に係る容姿確認システム（以下、「請求項７のシステム」という）は、請求項１乃至６何れかのシステムの好ましい態様として、前記表示装置は、所定のアプリケーションソフトを格納するタブレットコンピュータであることを特徴とする。
【００２８】
請求項７のシステムによれば、請求項１乃至６何れかのシステムの作用効果に加え、汎用性のあるタブレットコンピュータを表示装置として使用することができる。システム専用のタブレットコンピュータの使用を妨げないが、汎用性のあるものを流用できれば非常に安価なシステムを構築することができる。タブレットコンピュータには、システムとして稼働させるためのアプリケーションソフトをインストールしておく。
【００２９】
（請求項８記載の発明の特徴）
請求項８記載の発明に係る容姿確認システム（以下、「請求項８のシステム」という）は、請求項１乃至７何れかのシステムの好ましい態様として、前記表示装置と使用者の間にハーフミラーを配置することによって、前記表示装置が稼働していないときに使用者の容姿の一部又は全部を映せるように構成してあることを特徴とする．
【発明の効果】
【００３０】
本発明によれば、使用者が上目づかいなどをすることなく正面の表示装置を見ている姿勢のまま、自分の容姿の一部または全部を確認できるようにすることにある。また、両手が自由に使える為、楽な姿勢で整髪や白髪染め、薄毛対策、または髪にデコレーションを施すことができる。
【図面の簡単な説明】
【００３１】
【図１】容姿確認システムの右側面図である。
【図２】容姿確認システムの横方向からみた斜視図である。
【図３】容姿確認システムのアーム部を折り畳んだ状態を示す右側面図である。
【図４】容姿確認システムの上方向からみた斜視図である。
【図５】表示装置のブロック図である。
【図６】表示画面の斜視図である。
【図７】表示画面の斜視図である。
【図８】保持手段の第１の変形例を示す右側面図である。
【図９】保持手段の第１の変形例を示す横方向からみた斜視図である。
【図１０】図９に示す第１の変形例の上方向からみた斜視図である。
【図１１】第２の変形例を示す横方向からみた斜視図である。
【発明を実施するための形態】
【００３２】
（角上型顔鏡システムの概略構成）
各図を参照しながら、本発明を実施するための形態（以下、適宜「本実施形態」という）について説明する。図１乃至４に示す符号１は、テーブル（図示を省略）の前に着席した使用者１０１が自分の容姿を映すために用いる容姿確認システムを示す。容姿確認システム１（以下、適宜「システム１」という）は、撮像手段３と、保持手段５と、表示装置７と、表示装置保持手段９とから概略構成されている。
【００３３】
（撮像手段の構成）
撮像手段３は、撮像画像を撮像信号として出力するように構成されており、本実施形態ではＣＣＤカメラが使われている。なるべく鮮明な画像を得るため、所望の解像度を有し、好ましくは、オートフォーカス機能を備えているとよい。撮像手段３から出力される撮像信号は、表示手段７に送信される。
【００３４】
（保持手段の構造）
図１乃至図４に示すように、保持手段５は、基部となる回転軸１１、回転軸１１にから遠くなる順に固定された第１関節部１３、第１アーム部１５、第２関節部１７、第２アーム部１９、第３関節部２１、第３アーム部２３、第４関節部２５そして第４アーム部２７を備えている。各アーム部は、１本または複数本のパイプによって構成するとよい。本実施形態では、第１アーム部１５と第２アーム部１９が強度の関係からそれぞれ２本のパイプで、第３アーム部２３と第４アーム部２７が軽量化の関係からそれぞれ１本のパイプで構成されている。各関節部は、本実施形態では上下方向だが、それぞれ少なくとも１方向に復帰可能に屈曲しその状態を保てるように構成されている。各関節部には、必要に応じ、屈曲状態を保つ補助とするため引張りスプリングを設けてもよい。回転軸１１は、後述する支柱５１の頂部に設けられた丸孔（図示を省略）に回転自在に差込めるように構成され、これによって、各アーム部を水平方向に回動して撮像手段３を水平方向に自由移動できるように構成されている（図４）。撮像手段３の撮像可能方向の自由度を高めるため、第４関節部２５を自在継手で構成されることが好ましい。
【００３５】
角度を変更するためのトルクは、好ましくは第１関節部１３、第２関節部１５の順で、さらに好ましくは、さらに第３関節部１７をも含めた順で、また、もっと好ましくは、第４関節部２５を含めた順で小さく設定することが好ましい。各アーム部と撮像手段３の自重屈曲（自重だけで前垂れする動き）を防ぐためである。トルクは大きければ大きいほど自重傾動を防ぎやすいが、大きくしすぎると使用者１０１による撮像手段３の位置決め操作が、過大なトルクに邪魔された円滑に行えなくなるおそれがあるため、これを払しょくするためである。なお、保持手段５は、図３に示すように、第１関節部１３、第２関節部１７及び第３関節部２１の角度を変更してＮ字状に折り畳み可能に構成してある。
【００３６】
（表示装置の構造）
図７に基づき、表示装置７の構造について説明する。表示装置７は、マイクロコンピュータ４１と、メモリ４３と、機能スイッチ４５と、入力インターフェース４７及び出力インターフェース４９とから概略構成されている。マイクロコンピュータ４１は、内臓された中央演算処理装置（図示を省略）が、ＲＯＭ（Ｒｅａｄ  Ｏｎｌｙ  Ｍｅｍｏｒｙ，図示を省略）に格納されたプログラムを実行し、表示装置７に撮像信号を送り表示させるためのワンチップマイコンである。メモリ４３は、ＲＡＭ（Ｒａｎｄａｍ  Ａｃｃｅｓｓ  Ｍｅｍｏｒｙ）であって、撮像手段３から送られた撮像信号等を取り出し可能に記憶しておくための記憶媒体である。機能スイッチ４５は、電源スイッチとしての機能の他、表示装置７に表示させる画像のモードを切り替える等の機能を担っている。入力インターフェース４７は、カメラ３５から送られる撮像信号を受け入れてマイクロコンピュータ４１に送るためのインターフェースである。出力インターフェース４９は、マイクロコンピュータ４１が出力する制御信号を表示画面５０に送るためのインターフェースである。なお、本実施形態では、表示装置７として、所定のアプリケーションソフトを格納したタブレットコンピュータを流用している。
【００３７】
（表示装置保持手段の構造）
図１乃至４を参照しながら、表示装置保持手段９について説明を行う。表示装置保持手段９は、表示画像（図６、７）を使用者が見られるように表示装置７を着脱自在に保持するように構成されたものである。表示装置保持手段９は、縦長のベースボックス５１と、装置ホルダー７１とから概略構成されている。
【００３８】
ベースボックス５１には、その背面側を壁Ｗ（図１）にボルト固定するための固定プレート５３，５３と、ベースボックス５１の前面側（使用者対向面側）の中心部位から水平に突き出すヒンジ５５が設けられている。ベースボックス５１は、撮像手段３へ電源を供給したり画像信号を受信したりするための回路基板（図示を省略）が収納されている。
【００３９】
装置ホルダー７１は、左右対称の台形をした固定プレート７３と、固定プレート７３の頂部から出没可能な細板状の可動プレート７５と、固定プレート７３の下端部に固定された断面Ｌ字状の下支えプレート７７と、可動プレート７５の上端部に固定された断面L字状の上抑えプレート７９とからおおむね構成されている。固定プレート７３の背面側には、ヒンジ５５が固定され、これにより装置ホルダー７１がベースボックス５１に対し上下方向に傾動するように構成されている。
【００４０】
図２に示すように、可動プレート７５は手動により上下動可能に構成され、上方向にわずかに引き上げた際に下支えプレート７７の上に表示手段７を載せ、可動プレート７５を元に戻すと両プレートによってしっかりと保持されるように構成されている。この状態で、装置ホルダー７１を縦方向に傾動させれば、表示手段７の表示画面５０の角度を調節できるようになっている（図３）。なお、ヒンジ５５の構造を、縦方向だけでなく横方向にも傾動できるようにしておけば、より好みに応じた角度に調整が可能になる。
【００４１】
（システムの動作と使用方法）
図１乃至７を参照しながら、システム１の動作と使用方法について説明する。表示装置７の前に着席した使用者１０１は、表示装置７の正面下にある機能スイッチ４５（図１、２参照）を操作してシステム１を起動させる。次に使用者１０１は、撮像手段３を持って保持手段５を片手操作して回動させ（図４）、また、必要に応じてアーム部を屈曲（伸展）させ撮像手段３を所望の位置に配置する（図１）。さらに、撮像手段３の撮像方向を調整して自分の後頭部に向かせておく。
【００４２】
ここで、撮像手段３が使用者１０１の後頭部を撮像する。この撮像によって撮像手段３から出力された撮像信号は、入力インターフェース４７（図５）を介してマイクロコンピュータ４１に送られて処理され、この処理された信号は、メモリ４３に送られてそこに格納される。同時に、処理信号は、出力インターフェース４９を介して表示装置７に送られ、表示画面５０上に画像Ｇｒとして表示される（図６参照）。また、撮像手段３の位置を移動させて使用者１０１の側方に移動させれば、図７に示す画像Ｇｒが表示される。使用者１０１は、着席したまま表示画面５０を見れば、そのままの姿勢で自分の後頭部や側頭部の確認をすることができる。なお、撮像手段３の位置をより遠くに置いたり、撮像信号をデジタル処理するなどして、使用者１０１の拡大図や全身を表示画面５０に表示するようにしてもよい。
【００４３】
（本実施形態の第１の変形例）
図８ないし図１０を参照しながら、本実施形態の第１の変形例について説明する。本実施形態と比べた第１の変形例の特徴は保持手段５´にあるので、この点に絞って説明し、表示装置保持手段９の説明は省略する。
【００４４】
保持手段５´は、ベースボックス５１に対し出没自在かつ水平方向の回動自在に設けられたスライド軸１１´を備えている。スライド軸１１´の頂部には、復帰可能に縦方向に屈曲する第１関節部１３´が固定されている。第１関節部１３´には、離れる方向に准に第１アーム部１５´、第２関節部１７´、第２アーム部１９´、第３関節部２１´、第３アーム部２３´、第４関節部２５´第４アーム部２７´が接続されている。第２関節部１７´および第３関節部２１´は水平方向に、第４関節部２５´は垂直方向に、それぞれ復帰可能に屈曲するようになっている。これらの関節部は、ユニバーサルジョイントのように、多方向に屈曲可能な構成にしてもよい。スライド軸１１´の引き出し高さは、第１のアーム部１５´その他の部位の高さを決定する。なお、符号２９は、スライド軸１１´のベースボックス５１に対する位置決めを行うための締め具を示す。締め具２９を緩めるとスライド軸１１´の出没を許し、締めると出没を阻止するように構成されている。
【００４５】
（本実施形態の第２の変形例）
図１１が示すのは、図２に示すシステム１に、ハーフミラー６１が装置ホルダー７１にヒンジ固定され、表示装置７の表示画面５０の前で開閉自在に構成されている。ハーフミラー６１の開放時は本実施形態の作用効果そのものであるが、閉鎖時は表示画面５０を被覆される。表示画面５０の稼働時は図６や図７に示すような表示画面がハーフミラー６１を介して使用者（図１１では省略）に視認されるが、非稼働時は通常のミラーとして機能する。すなわち、非稼働時の使用者は、ハーフミラー６１に映った自分の顔などを見ることができる。
【符号の説明】
【００４６】
１            容姿確認システム
３            撮像手段（ＣＣＤカメラ）
５，５´      保持手段
７            表示装置
９            表示装置保持手段
１１            回転軸（基部）
１３，１３´    第１関節部
１５，１５´    第１アーム部
１７，１７´    第２関節部
１９，１９´    第２アーム部
２１，２１´    第３関節部
２３，２３´    第３アーム部
２５，２５´    第４関節部
２７，２７´    第４アーム部
２９            締め具
４１            マイクロコンピュータ
４３            メモリ
４５            機能スイッチ
４７            入力インターフェース
４９            出力インターフェース
５０            表示画面
５１            ベースボックス
５３            固定プレート
５５            ヒンジ
６１            ハーフミラー
７１            装置ホルダー
【図１】
2016158159.tif 000003
【図２】
2016158159.tif 000004
【図３】
2016158159.tif 000005
【図４】
2016158159.tif 000006
【図５】
2016158159.tif 000007
【図６】
2016158159.tif 000008
【図７】
2016158159.tif 000009
【図８】
2016158159.tif 000010
【図９】
2016158159.tif 000011
【図１０】
2016158159.tif 000012
【図１１】
2016158159.tif 000013